(57)【要約】      （修正有）【課題】男性が年齢を重ねることによる体型変化に適用できる構造のパンツを提供する。【解決手段】身体前面の布は２重にし、その２重の布について、１枚目の身体側の布は陰茎部分を通すことができる穴のあいた部分、更にその前にある２枚目の布は陰茎を格納するカンガルーポケット部分２で構成する。陰嚢を包む部分は立体にしてあり、陰嚢がゆったり格納できるようにしてある。又、２枚目の布となるカンガルーポケット部分４は立体にし、陰茎がゆったり格納できるようにする。さらに、カンガルーポケットの上部分は伸縮３できるようにし、小用をたす場合陰茎をスムーズに出し入れができるようにする。又、身体前面の布は横に伸縮し、身体後ろ面の布は縦に伸縮するように生地の面付けをする。【選択図】図３
0003158643.tif 000002
【実用新案登録請求の範囲】
【請求項１】
（１）着用することで股間がスッキリできる
（２）股間の陰茎と陰嚢を触れ合うことがない構造にしてあるので衛生的によい
（３）陰茎と陰嚢を所定位置に置ける構造にしてある
（４）小用時の陰茎の出し入れ時間を短縮でき、かつ簡単である
（５）残尿感、ぷちモレを吸収するパットを入れられる
（６）カンガルーポケットの下部分には立体空間が確保してあり、陰茎をその部分に圧迫されることなく保持できる
（７）陰嚢が納まる部分を立体形状にしてあり、陰嚢を圧迫することなく保持することができる
（８）陰茎と陰嚢をはそれぞれ別のエリアにおいてあるので股間物疾病治療の養生が容易になる
を特徴とする中高年男性及び股間物疾病養生向けパンツ。
【考案の詳細な説明】
【技術分野】
【０００１】この発案は、年齢を重ねることによって体型が変化した中高年男性及び股間物疾病養生向けパンツ（以下、対象のパンツと言う）である。
【背景技術】
【０００２】市販されているパンツの形状からみた分類は、ブリーフ型、トランクス型、ボクサー型がある。市販パンツは利用する人の年代に関係なくサイズのみの対応となっていて、人間は年齢を重ねることにより体型、筋肉のはり、皮膚の紫波にも変化がでてくる。特に団塊世代以降男性の体型の変化に対応した男性用パンツが提供されていなかった。
身体の必要な部分を機能分解し立体デザインにすることで実現可能となる。
【考案の開示】
【考案が解決しようとする課題】
【０００３】本案は、男性が年齢を重ねることで体型変化に適用できる構造のパンツを提供し、毎日の生活を健康的で清潔、爽快、快適に過ごせるようにすることと、且つ股間物疾病の治療にも最適に利用することである。
【課題を解決するための手段】
【０００４】男性の股間物の姿勢は青年時期においては筋肉、皮膚は張り詰めているが、中高年以降になるとその張りがなくなってきて股間物の姿勢が重力に影響によって垂れ下がってしまう。
股間物は陰茎と陰嚢の２つの部分から構成されているが、垂れ下がりにより２つが密着してしまい、衛生的にも気分的にも良くない。股間物は正しい姿勢で保持することが健康的に良いとされている。
考案のパンツを着用することにより衛生的であり且つ股間が汗ばんでも布が吸収してくれ爽快気分にすることができる。
又、陰茎の先端部分が当たるように尿吸収パットをつけることでプチもれ（少量のモレ）にも対応できる。
【考案の効果】
【０００５】従来は股間物である陰茎と陰嚢を一緒にしてパンツの中に入れて置くしかなかった。本考案のパンツにより、この２つを別々の領域におくことが可能になった。これにより８つの効果を確認することができる。
１つ目はお互いに触れ合うことがないため股間がスッキリすること。
２つ目はそれぞれが発生させる汗、残った尿がお互いに付け合うことなくパンツの布が吸収してくれること。
３つ目は陰茎と陰嚢が指定位置にあり健康に良いこと。
４つ目は小用のときの出し入れが短時間、最短距離でできこと。
５つ目はカンガルーポケットの下部分に立体空間があり、その部分に少々の尿のモレを吸収するパットを使えること。
６つ目は、パンツ本体とカンガルーポケットにより２重になっているため、小用後に陰茎から少量の尿は身体（股間の周り、太もも等）に付着することがなくなった。
７つ目はカンガルーポケットの下部分は立体空間があるため陰茎を圧迫することなく保持することができること。
８つ目は陰茎や陰嚢の疾病で、塗り薬をつけたときお互いが触れ合わないように保持できることや、陰茎に包帯などをつけたときに外れることなく保持できること。
【考案を実施するための最良の形態】
【実施例】
【０００６】実施例について図を参照して説明する。【０００７】図１は股間物である陰茎と陰嚢を別々に保管できるように作成した対象のパンツの斜視図である。ここでの図はボクサー型パンツを例に記述しているが、ブリーフ型も同様である。【０００８】発案の対象のパンツは股間の陰茎と陰嚢を正しい姿勢で保持できる構造にしてあるパンツである。小用のときに陰茎の出し入れが簡単にでき、尿吸収パットの取替えも容易にできるようにしてある。【０００９】図２は対象のパンツに人体腰部分が入った側面図である。【００１０】図３では、対象のパンツ前面のカンガルーポケット部分はパンツ本体に取り付けてあるが、これは陰茎と陰嚢が触れ合わないようにするためである。カンガルーポケットの下部分は陰茎が収めることができるように立体空間を確保してある。【００１１】着用の手順として、対象のパンツに両脚を入れて、腰の位置までずり上げる途中に陰茎を手で上に持ち上げて着用することで、対象のパンツ本体側の陰茎用穴（出入り口）に陰茎が入り自然にカンガルーポケット部分に納まる。【００１２】小用のときの手順は、カンガルーポケットの上から陰茎を真上に取り出すことができる。カンガルーポケットの上部分は伸縮できる構造になっているので簡単に取り出しが可能である。【００１３】陰茎の疾病治療で塗り薬をつけ包帯を取り付けた場合、従来は包帯が陰茎から取れてしまっていた。本案では、陰茎がカンガルーポケット入っているので左右、上下、前後の移動がないので包帯が取れることがない。
【図面の簡単な説明】
【００１４】
【図１】対象のパンツの鳥瞰図である。
【図２】対象のパンツの側面図である。
【図３】対象のパンツを構成しているパーツ組み合わせである。
【図４】対象のパンツの正面図である。
【図５】対象のパンツの側面図である。
【符号の説明】
【００１５】  １  対象のパンツの全体の斜視図
２  カンガルーポケット
３  小用のときに陰茎を出し入れするカンガルーポケットの出入り口
この部分はゴムなどで伸縮できるようにしてある。
４  陰茎が入る部分（カンガルーポケット下部分）
５  パンツの本体部分
６  陰嚢の納まるところ（立体にしてある）
７  腰部分のゴムベルト
８  尿吸収パットの入るところ
９  尿吸収パット
１０  陰茎を通すパンツ本体の出入り口
１１  身体の側面
１２  身体の陰嚢
１３  身体の陰茎
【図１】
0003158643.tif 000003
【図２】
0003158643.tif 000004
【図３】
0003158643.tif 000005
【図４】
0003158643.tif 000006
【図５】
0003158643.tif 000007
【手続補正書】
【提出日】平成21年11月10日(2009.11.10)
【手続補正１】
【補正対象書類名】実用新案登録請求の範囲
【補正対象項目名】全文
【補正方法】変更
【補正の内容】
【実用新案登録請求の範囲】
【請求項１】
（１）本発案を身体に装着した状態において、身体前面の布は２重にしてある
（２）その２重の布について、１枚目の身体側の布は陰茎部分を通すことができる穴のあいた部分、更にその前にある２枚目の布は陰茎を格納するカンガルーポケット部分で構成してある
（３）陰嚢を包む部分は立体（３次元）にしてあり、陰嚢がゆったりできるようにしてある
（４）２枚目となるカンガルーポケット部分は立体にしてあり、陰茎がゆったり格納できるようにしてある
（５）カンガルーポケットの上部分は伸縮（ゴム入り布テープ組み込み）できるようにしてあり、小用をたすときに陰茎をその部分から出し入れができるようにしてある、
（６）カンガルーポケットの内側には小用後に発生する少量の尿もれを吸収するパットを挿入することができる、
上記（１）、（２）、（３）、（４）、（５）、（６）を満たす構造になっている男性用パンツである。
【手続補正書】
【提出日】平成22年1月21日(2010.1.21)
【手続補正１】
【補正対象書類名】実用新案登録請求の範囲
【補正対象項目名】全文
【補正方法】変更
【補正の内容】
【実用新案登録請求の範囲】
【請求項１】
（１）身体に装着した状態において、身体前面の布は２重にしてある
（２）その２重の布について、１枚目の身体側の布は陰茎部分を通すことができる穴のあいた部分、更にその前にある２枚目の布は陰茎を格納するカンガルーポケット部分で構成してある
（３）陰嚢を包む部分は立体にしてあり、陰嚢がゆったり格納できるようにしてある
（４）２枚目の布となるカンガルーポケット部分は立体にしてあり、陰茎がゆったり格納できるようにしてある
（５）カンガルーポケットの上部分は伸縮できるようにしてあり、小用をたす場合に指で陰茎を取り出すときカンガルーポケットの上部分が伸縮するので陰茎をスムーズに出し入れができるようにしてある
（６）カンガルーポケットの内側には小用後に発生する少量の尿もれを吸収するパットを置ける空間がある
（７）身体前面の布は横に伸縮し、身体後ろ面の布は縦に伸縮するように生地の面付けをしてある
（８）身体後ろ面の肛門周辺部分の布を二重にしてある
上記（１）、（２）、（３）、（４）、（５）、（６）、（７）、（８）を満たす構造になっている男性用パンツ。